【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
装置（２０２）によって実施されるワイヤレス通信の方法（２１００）であって、
複数の発見間隔（３０２，４０２，５０２，６０２，７０２，８０２，９０２）のうちの第1の発見間隔（３０２，４０２，５０２，６０２，７０２，８０２，９０２）において発見パケット（５１２）を送信するステップ（２１０５）であって、前記発見パケット（５１２）が、ワイヤレス通信ネットワーク内で提供されるサービスを広告し、前記複数の発見間隔（３０２，４０２，５０２，６０２，７０２，８０２，９０２）が、複数のデバイスが発見パケット（５１２）を送信および受信するように構成される循環時間間隔を含み、前記複数の発見間隔（３０２，４０２，５０２，６０２，７０２，８０２，９０２）の各々が、前記発見間隔（３０２，４０２，５０２，６０２，７０２，８０２，９０２）のスタートを示すように構成された発見間隔スタートパケットを前記装置により送信することで始まるステップと、
複数のページング間隔（３０４，４０４，５０４，６０４，７０４，８０４，９０４）のうちの第1のページング間隔（３０４，４０４，５０４，６０４，７０４，８０４，９０４）において第1のデバイスからページングパケット（５１４）を受信するステップ（２１１０）であって、前記ページングパケット（５１４）が前記サービスへの興味を示し、前記複数のページング間隔（３０４，４０４，５０４，６０４，７０４，８０４，９０４）が、前記複数のデバイスがページングパケット（５１４）を送信および受信するように構成される循環時間間隔を含み、前記複数のページング間隔（３０４，４０４，５０４，６０４，７０４，８０４，９０４）が前記複数の発見間隔３０２，４０２，５０２，６０２，７０２，８０２，９０２）と重複しないステップとを含む方法。
【請求項２】
前記発見パケット（５１２）が、前記装置（２０２）によって提供される第1のサービスを広告するように構成され、前記ページングパケット（５１４）が、前記装置（２０２）によって提供される前記第1のサービスへの興味を示すように構成される、請求項1に記載の方法。
【請求項３】
ワイヤレス通信媒体についての競合に基づいて、前記発見パケット（５１２）をいつ送信するかを判断するステップと、
ランダム値に少なくとも部分的に基づいて判断された遅延期間の後まで、前記競合を遅延させるステップとをさらに含む、請求項2に記載の方法。
【請求項４】
前記第1のページング間隔（３０４，４０４，５０４，６０４，７０４，８０４，９０４）において第1のデバイスからページングパケット（５１４）を受信するステップは、前記第1のページング間隔（５１４）の複数のサブ間隔のスケジュールされたサブ間隔において前記ページングパケット（５１４）を受信するステップを含み、各サブ間隔は前記複数のデバイスによって知られている同じ持続期間である、請求項2に記載の方法。
【請求項５】
ワイヤレス通信媒体が、前記複数の発見間隔（３０２，４０２，５０２，６０２，７０２，８０２，９０２）において発見パケット（５１２）以外の送信から解放され、前記ワイヤレス通信媒体が、前記複数のページング間隔（３０４，４０４，５０４，６０４，７０４，８０４，９０４）においてページングパケット（５１４）以外の送信から解放される、請求項2に記載の方法。
【請求項６】
前記第1の発見間隔（３０２，４０２，５０２，６０２，７０２，８０２，９０２）の前記スタートを示すとともに、前記ワイヤレス通信媒体を、前記第1の発見間隔（３０２，４０２，５０２，６０２，７０２，８０２，９０２）における発見パケット（５１２）以外の送信から解放するための送信可フレーム（８２４）を含む第1の発見間隔スタートパケットを送信するステップをさらに含む、請求項5に記載の方法。
【請求項７】
装置（２０２）によって実施される、ワイヤレス通信システム内のデバイスを発見する方法（２３００）であって、
複数の発見間隔（３０２，４０２，５０２，６０２，７０２，８０２，９０２）のうちの第1の発見間隔（３０２，４０２，５０２，６０２，７０２，８０２，９０２）において第1のデバイスから発見パケット（５１２）を受信するステップ（２３０５）であって、前記発見パケット（５１２）が、ワイヤレス通信ネットワーク内の前記第1のデバイスによって提供されるサービスを広告し、前記複数の発見間隔（３０２，４０２，５０２，６０２，７０２，８０２，９０２）が、複数のデバイスが発見パケット（５１２）を送信および受信するように構成される循環時間間隔を含み、前記複数の発見間隔（３０２，４０２，５０２，６０２，７０２，８０２，９０２）の各々が、前記発見間隔（３０２，４０２，５０２，６０２，７０２，８０２，９０２）のスタートを示すように構成された発見間隔スタートパケットで始まるステップと、
前記受信した発見間隔スタートパケットに基づいて前記発見間隔（３０２，４０２，５０２，６０２，７０２，８０２，９０２）のスタートを検知するステップと、
複数のページング間隔（３０４，４０４，５０４，６０４，７０４，８０４，９０４）のうちの第1のページング間隔（３０４，４０４，５０４，６０４，７０４，８０４，９０４）において前記第1のデバイスにページングパケット（５１４）を送信するステップであって、前記ページングパケット（５１４）が、前記第1のデバイスによって提供される前記サービスへの興味を示し、前記複数のページング間隔（３０４，４０４，５０４，６０４，７０４，８０４，９０４）が、前記複数のデバイスがページングパケット（５１４）を送信および受信するように構成される循環時間間隔を含み、前記複数のページング間隔（３０４，４０４，５０４，６０４，７０４，８０４，９０４）が前記複数の発見間隔（３０２，４０２，５０２，６０２，７０２，８０２，９０２）と重複しないステップとを含む方法。
【請求項８】
ワイヤレス通信媒体についての競合に基づいて、前記発見パケットをいつ送信するかを判断するステップと、
ランダム値に少なくとも部分的に基づいて判断された遅延期間の後まで、前記競合を遅延させるステップとをさらに含む、請求項7に記載の方法。
【請求項９】
前記第1の発見間隔（３０２，４０２，５０２，６０２，７０２，８０２，９０２）において前記発見パケット（５１２）を受信するステップは、前記第1の発見間隔の複数のサブ間隔のスケジュールされたサブ間隔において前記発見パケット（５１２）を受信するステップを含み、各サブ間隔は前記複数のデバイスによって知られている同じ持続期間である、請求項7に記載の方法。
【請求項１０】
前記第1のページング間隔（３０４，４０４，５０４，６０４，７０４，８０４，９０４）において第1のデバイスに前記ページングパケット（５１４）を送信するステップは、前記第1のページング間隔（５１４）の複数のサブ間隔の第1のサブ間隔において前記ページングパケット（５１４）を送信するステップを含み、各サブ間隔は前記複数のデバイスによって知られている同じ持続期間である、請求項7に記載の方法。
【請求項１１】
ワイヤレス通信媒体についての競合に基づいて前記第1のサブ間隔を判断するステップをさらに含む、請求項10に記載の方法。
【請求項１２】
ワイヤレス通信媒体が、前記複数の発見間隔（３０２，４０２，５０２，６０２，７０２，８０２，９０２）において発見パケット（５１２）以外の送信から解放され、前記ワイヤレス通信媒体が、前記複数のページング間隔（３０４，４０４，５０４，６０４，７０４，８０４，９０４）においてページングパケット（５１４）以外の送信から解放される、請求項7に記載の方法。
【請求項１３】
ワイヤレス通信システムにおいて動作するように構成された装置であって、
複数の発見間隔（３０２，４０２，５０２，６０２，７０２，８０２，９０２）のうちの第1の発見間隔（３０２，４０２，５０２，６０２，７０２，８０２，９０２）において発見パケット（５１２）を送信するための手段であって、前記発見パケット（５１２）が、ワイヤレス通信ネットワーク内で提供されるサービスを広告し、前記複数の発見間隔（３０２，４０２，５０２，６０２，７０２，８０２，９０２）が、複数のデバイスが発見パケット（５１２）を送信および受信するように構成される循環時間間隔を含み、前記複数の発見間隔（３０２，４０２，５０２，６０２，７０２，８０２，９０２）の各々が、前記発見間隔（３０２，４０２，５０２，６０２，７０２，８０２，９０２）のスタートを示すように構成された発見間隔スタートパケットを前記装置により送信することで始まる手段と、
複数のページング間隔（３０４，４０４，５０４，６０４，７０４，８０４，９０４）のうちの第1のページング間隔（３０４，４０４，５０４，６０４，７０４，８０４，９０４）において第1のデバイスからページングパケット（５１４）を受信するための手段であって、前記ページングパケット（５１４）が前記サービスへの興味を示し、前記複数のページング間隔（３０４，４０４，５０４，６０４，７０４，８０４，９０４）が、前記複数のデバイスがページングパケット（５１４）を送信および受信するように構成される循環時間間隔を含み、前記複数のページング間隔（３０４，４０４，５０４，６０４，７０４，８０４，９０４）が前記複数の発見間隔３０２，４０２，５０２，６０２，７０２，８０２，９０２）と重複しない手段と
を備える、装置。
【請求項１４】
ワイヤレス通信システムにおいて動作するように構成された装置であって、
複数の発見間隔（３０２，４０２，５０２，６０２，７０２，８０２，９０２）のうちの第1の発見間隔（３０２，４０２，５０２，６０２，７０２，８０２，９０２）において第1のデバイスから発見パケット（５１２）を受信するための手段であって、前記発見パケット（５１２）が、ワイヤレス通信ネットワーク内の前記第1のデバイスによって提供されるサービスを広告し、前記複数の発見間隔（３０２，４０２，５０２，６０２，７０２，８０２，９０２）が、複数のデバイスが発見パケット（５１２）を送信および受信するように構成される循環時間間隔を含み、前記複数の発見間隔（３０２，４０２，５０２，６０２，７０２，８０２，９０２）の各々が、前記発見間隔（３０２，４０２，５０２，６０２，７０２，８０２，９０２）のスタートを示すように構成された発見間隔スタートパケットで始まる手段と、
前記受信した発見間隔スタートパケットに基づいて前記発見間隔（３０２，４０２，５０２，６０２，７０２，８０２，９０２）のスタートを検知するための手段と、
複数のページング間隔（３０４，４０４，５０４，６０４，７０４，８０４，９０４）のうちの第1のページング間隔（３０４，４０４，５０４，６０４，７０４，８０４，９０４）において前記第1のデバイスにページングパケット（５１４）を送信するための手段であって、前記ページングパケット（５１４）が、前記第1のデバイスによって提供される前記サービスへの興味を示し、前記複数のページング間隔（３０４，４０４，５０４，６０４，７０４，８０４，９０４）が、前記複数のデバイスがページングパケット（５１４）を送信および受信するように構成される循環時間間隔を含み、前記複数のページング間隔（３０４，４０４，５０４，６０４，７０４，８０４，９０４）が前記複数の発見間隔（３０２，４０２，５０２，６０２，７０２，８０２，９０２）と重複しない手段と、
を備える装置。
【請求項１５】
請求項１乃至６または請求項７乃至１３に記載の方法を実施するための命令を含むコンピュータ・プログラム。